(57)【要約】      （修正有）【課題】複数の人の間に配置することで、人の口や鼻からの飛沫を遮断して吸込むパーテーション装置を提供する。【解決手段】パーテーション装置Ｘ１は、パーテーション本体１と、吸引ダクト管２を備える。パーテーション本体１は、吸込間隔を隔てて並設される第１及び第２仕切板体５、６と、第１及び第２仕切板体５、６の板端縁に沿って配置されて第１及び第２仕切板体５、６の間を気密に閉塞して、第１及び第２仕切板体５、６の間に吸込空間を形成する閉塞体７と、第１及び第２仕切板体５、６に形成され、吸込空間に連通される第１及び第２吸込穴９〜１２を有して、複数の人の間に第１及び第２仕切板体５、６を位置して配置される。吸引ダクト管２は、一方のダクト管端２Ａから吸込空間に接続され、及び他方のダクト管端２Ｂから吸引機４５に接続される。【選択図】図１１
0003235284.tif 000002
【実用新案登録請求の範囲】
【請求項１】
複数の人の間に配置されて、人の口や鼻からの飛沫を吸込むパーテーション装置であって、パーテーション本体と、吸引ダクト管と、を備え、
前記パーテーション本体は、
板厚さ方向に第１板表面及び第１板裏面を有する第１仕切板体と、
板厚さ方向に第２板表面及び第２板裏面を有し、前記第１板裏面及び前記第２板裏面に吸込間隔を隔てて前記第２板裏面を前記第１板裏面に対向して、前記第１仕切板体に並設される第２仕切板体と、
前記第１及び第２仕切板体の板端縁に沿って配置されて前記第１及び第２仕切板体の間を気密に閉塞して、前記第１及び第２仕切板体の間に吸込空間を形成する閉塞体と、
前記第１仕切板体に形成され、板厚さ方向に前記第１仕切板体を貫通して前記第１板表面及び前記第１板裏面に開口され、及び前記吸込空間に連通される第１吸込穴と、
前記第２仕切板体に形成され、板厚さ方向に前記第２仕切板体を貫通して前記第２板表面及び前記第２板裏面に開口され、及び前記吸込空間に連通される第２吸込穴と、を有し、
複数の人の間に前記第１及び第２仕切板体を位置して配置され、
前記吸引ダクト管は、
一方のダクト管端から前記吸込空間に気密に接続され、及び他方のダクト管端から吸引機に接続される
ことを特徴とするパーテーション装置。
【請求項２】
前記閉塞体は、
第１閉塞部材と、
第２閉塞部材と、を有し、
前記第１及び第２閉塞部材を前記第１及び第２仕切板体の板端縁に沿って配置し、前記第１及び第２閉塞部材で前記第１及び第２仕切板体の間を気密に閉塞して、前記第１及び第２仕切板体の間に吸込空間を形成し、
前記第１閉塞部材は、
前記第１及び第２仕切板体の板端縁の一部に沿って配置されて前記第１及び第２仕切板体の間を気密に閉塞して、前記第１及び第２仕切板体に固定され、
前記第２閉塞部材は、
軟質の合成樹脂又は軟質の合成ゴムで形成され、
前記第１及び第２仕切板体の板端縁の一部を除く残りの板端縁に沿って配置されて前記第１及び第２仕切板体の間を気密に閉塞して、前記第１及び第２仕切板体に取外し自在に取付られる
ことを特徴とする請求項１に記載のパーテーション装置。
【考案の詳細な説明】
【技術分野】
【０００１】
本考案は、複数の人の間に配置されて、人の口や鼻からの飛沫を遮断しつつ吸込むパーテーション装置に関する。
【背景技術】
【０００２】
人の口や鼻からの飛沫の飛散を防止する技術として、特許文献１は衛生マスクを開示する。衛生マスクは、人の口や鼻を含む呼吸器官に隙間を隔てて配置される呼吸器前カバー体を有する。
【先行技術文献】
【特許文献】
【０００３】
【特許文献１】特開２０１３−１３７６２号公報
【考案の概要】
【考案が解決しようとする課題】
【０００４】
特許文献１では、人の口や鼻を含む呼吸器官からの飛沫は、呼吸器及び呼吸器前カバー体との間の隙間から飛散する。
【０００５】
本考案は、複数の人の間に配置することで、人の口や鼻からの飛沫を遮断して吸込むことのできるパーテーション装置を提供することにある。
【課題を解決するための手段】
【０００６】
本考案に係る請求項１は、複数の人の間に配置されて、人の口や鼻からの飛沫を吸込むパーテーション装置であって、パーテーション本体と、吸引ダクト管と、を備え、前記パーテーション本体は、板厚さ方向に第１板表面及び第１板裏面を有する第１仕切板体と、板厚さ方向に第２板表面及び第２板裏面を有し、前記第１板裏面及び前記第２板裏面に吸込間隔を隔てて前記第２板裏面を前記第１板裏面に対向して、前記第１仕切板体に並設される第２仕切板体と、前記第１及び第２仕切板体の板端縁に沿って配置されて前記第１及び第２仕切板体の間を気密に閉塞して、前記第１及び第２仕切板体の間に吸込空間を形成する閉塞体と、前記第１仕切板体に形成され、板厚さ方向に前記第１仕切板体を貫通して前記第１板表面及び前記第１板裏面に開口され、及び前記吸込空間に連通される第１吸込穴と、前記第２仕切板体に形成され、板厚さ方向に前記第２仕切板体を貫通して前記第２板表面及び前記第２板裏面に開口され、及び前記吸込空間に連通される第２吸込穴と、を有し、複数の人の間に前記第１及び第２仕切板体を位置して配置され、前記吸引ダクト管は、一方のダクト管端から前記吸込空間に気密に接続され、及び他方のダクト管端から吸引機に接続されることを特徴とするパーテーション装置である。
請求項１では、パーテーション本体は、吸込空間に連通される吸引口を有し、吸引ダクト管は、一方のダクト管から吸引口に接続される構成も採用できる。
請求項１では、吸引口は、閉塞体に形成され、閉塞体を貫通して吸込空間に連通される構成も採用できる。
請求項１では、第１吸込穴は、第１及び第２仕切板体の板厚さ方向と直交する穴配置方向において、第１仕切板体の各板端縁の間にわたって第１仕切板体に配置され、第２吸込穴は、第１吸込穴に対向して配置され、穴配置方向において、第２仕切板体の各板端縁の間にわたって第２仕切板体に配置される構成も採用できる。
【０００７】
本考案に係る請求項２は、前記閉塞体は、第１閉塞部材と、第２閉塞部材と、を有し、前記第１及び第２閉塞部材を前記第１及び第２仕切板体の板端縁に沿って配置し、前記第１及び第２閉塞部材で前記第１及び第２仕切板体の間を気密に閉塞して、前記第１及び第２仕切板体の間に吸込空間を形成し、前記第１閉塞部材は、前記第１及び第２仕切板体の板端縁の一部に沿って配置されて前記第１及び第２仕切板体の間を気密に閉塞して、前記第１及び第２仕切板体に固定され、前記第２閉塞部材は、軟質の合成樹脂又は軟質の合成ゴムで形成され、前記第１及び第２仕切板体の板端縁の一部を除く残りの板端縁に沿って配置されて前記第１及び第２仕切板体の間を気密に閉塞して、前記第１及び第２仕切板体に取外し自在に取付られることを特徴とする請求項１に記載のパーテーション装置である。
【考案の効果】
【０００８】
本考案によれば、空気をパーテーション本体の第１吸込穴及び第２吸込穴から吸込空間に吸込むことで、複数の人の口や鼻からの飛沫を第１及び第２仕切板体で遮断しつつ、第１及び第２吸込穴から吸込空間に吸込むことででき、飛沫が対面する人に飛散することを防止できる。
本考案によれば、第２閉塞部材を弾性変形しつつ、第１及び第２仕切板体の板端縁の一部を除く板端縁から取外すことで、第１及び第２仕切板体の板端縁の一部を除く残りの板端縁の間を外気（パーテーション本体の外部）に開放できる。
これにより、外気に開放された第１及び第２仕切板体の板端縁の間から水や洗剤（洗剤水）を流入することで、第１及び第２板裏面に付着した飛沫等の汚れを除去することができる。
本考案によれば、第２閉塞部材は、軟質の合成樹脂又は軟質の合成ゴムで形成されるので、第２開閉部材を弾性変形しつつ引っ張る等することで、容易にパーテーション本体（第１及び第２仕切板体）から取外すことができ、容易に第１及び第２仕切板体に取付けることができる。
【図面の簡単な説明】
【０００９】
【図１】第１実施形態に係るパーテーション装置を示す前方から見た斜視図である。
【図２】第１実施形態に係るパーテーション装置を示す後方から見た斜視図である。
【図３】第１実施形態に係るパーテーション装置を示す正面図である。
【図４】第１実施形態に係るパーテーション装置を示す平面図（上面図）である。
【図５】第１実施形態に係るパーテーション装置を示す底面図（下面図）である。
【図６】第１実施形態に係るパーテーション装置を示す右側面図である。
【図７】図３のＡ−Ａ断面拡大図である。
【図８】図３のＢ−Ｂ断面拡大図である。
【図９】図３のＣ―Ｃ断面図である。
【図１０】図４のＤ−Ｄ断面図である。
【図１１】第１実施形態に係るパーテーション装置をテーブルに設置した正面図である。
【図１２】図１１のＥ−Ｅ断面図である。
【図１３】第１実施形態に係るパーテーション装置をテーブルに設置した左側面図である。
【図１４】第２実施形態に係るパーテーション装置を示す後方から見た斜視図である。
【図１５】第２実施形態に係るパーテーション装置を示す正面図である。
【図１６】第２実施形態に係るパーテーション装置を示す背面図である。
【図１７】第２実施形態に係るパーテーション装置を示す左側面図である。
【図１８】第２実施形態に係るパーテーション装置を示す右側面図である。
【図１９】第２実施形態に係るパーテーション装置を示す平面図（上面図）である。
【図２０】第２実施形態に係るパーテーション装置を示す底面図（下面図）である。
【図２１】（ａ）は、図１５のＬ−Ｌ断面拡大図、（ｂ）は、図１５のＭ−Ｍ断面拡大図である。
【図２２】図１５のＮ−Ｎ断面拡大図である。
【図２３】（ａ）は、図２２のＯ部分拡大図、（ｂ）は、図１５のＰ−Ｐ断面拡大図である。
【図２４】図１５のＱ−Ｑ断面拡大図である。
【図２５】図１５のＲ部分拡大図である。
【図２６】図２５のＳ−Ｓ断面拡大図である。
【図２７】図１５のＴ−Ｔ断面拡大図である。
【図２８】図２７のＵ部分拡大図である。
【図２９】（ａ）は、図２５のＶ−Ｖ断面拡大図、（ｂ）は、図２５のＷ−Ｗ断面拡大図である。
【図３０】図２７のＹ部分拡大図である。
【図３１】図１５のＺ−Ｚ断面拡大図である。
【図３２】図１９のａ−ａ断面図である。
【図３３】第２実施形態に係るパーテーション装置において、パーテーション本体（閉塞体を取外した状態）を示す正面図である。
【図３４】第２実施形態に係るパーテーション装置において、パーテーション本体（閉塞体を取外した状態）を示す背面図である。
【図３５】第２実施形態に係るパーテーション装置において、パーテーション本体（閉塞体を取外した状態）を示す左側面図である。
【図３６】第２実施形態に係るパーテーション装置において、パーテーション本体（閉塞体を取外した状態）を示す右側面図である。
【図３７】第２実施形態に係るパーテーション装置において、パーテーション本体（閉塞体を取外した状態）を示す平面図（上面図）である。
【図３８】第２実施形態に係るパーテーション装置において、パーテーション本体（閉塞体を取外した状態）を示す底面図（下面図）である。
【図３９】第２実施形態に係るパーテーション装置をテーブルに設置した正面図である。
【図４０】第２実施形態に係るパーテーション装置をテーブルに設置した左側面図である。
【図４１】第１及び第２実施形態のパーテーション装置において、第１及び第２仕切板体の間に固定材を配置（装着）した正面図である。
【図４２】図４１のｂ−ｂ断面拡大図である。
【考案を実施するための形態】
【００１０】
本考案に係るパーテーション装置について、図１乃至図４２を参照して説明する。
第１実施形態及び第２実施形態のパーテーション装置について説明する。
【００１１】
以下、第１実施形態のパーテーション装置について、図１乃至図１３を参照して説明する。
【００１２】
図１１乃至図１３において、第１実施形態のパーテーション装置Ｘ１（以下、「パーテーション装置Ｘ１」という）は、複数の人の間に配置されて、人の口や鼻からの飛沫を遮断しつつ吸込む。
パーテーション装置Ｘ１は、図１乃至図１３に示すように、パーテーション本体１、及び吸引ダクト管２を備える。
【００１３】
パーテーション本体１は、図１０に示すように、第１仕切板体５、第２仕切板体６、閉塞体７、吸引穴８、複数（２つ）の第１吸込穴９，１０、及び複数（２つ）の第２吸込穴１１，１２を有する。
【００１４】
第１仕切板体５は、図１乃至図９に示すように、例えば、矩形状の平板（長方形状の平板）に形成される。第１仕切板体５は、透明の合成樹脂で矩形状の平板（長方形状の平板）に形成される。
第１仕切板体５は、板厚さ方向Ｔに第１板表面５Ａ（第１板表平面）、及び第１板裏面５Ｂ（第１板裏平面）を有する。第１板表面５Ａ及び第１板裏面５Ｂは、第１板表面５Ａ及び第１板裏面５Ｂの間に板厚さを有して平行に配置される。
第１仕切板体５は、板厚さ方向Ｔと直交する板長さ方向Ｌ（長手方向／穴配置方向）に板長さＬ１を有し、板厚さ方向Ｔ及び板長さ方向Ｌと直交する板幅方向Ｈ（短手方向）に板幅Ｈ１を有する。
【００１５】
第２仕切板体６は、図１乃至図１０に示すように、例えば、第１仕切板体５と同一形状であって、矩形状の平板（長方形状の平板）に形成される。第２仕切板体６は、透明の合成樹脂で矩形の平板（長方形の平板）に形成される。
第２仕切板体６は、板厚さ方向Ｔに第２板表面６Ａ（第２板表平面）、及び第２板裏面６Ｂ（第２板裏平面）を有する。第２板表面６Ａ及び第２板裏面６Ｂは、第２板表面６Ａ及び第２板裏面６Ｂの間に板厚さ（第１仕切板体５と同一の板厚さ）を有して平行に配置される。
第２仕切板体６は、第１仕切板体５と同様に、板厚さ方向Ｔと直交する板長さ方向Ｌ（長手方向／穴配置方向）に板長さＬ１を有し、板厚さ方向Ｔ及び板長さ方向Ｌと直交する板幅方向Ｈ（短手方向）に板幅Ｈ１を有する。
【００１６】
第２仕切板体６は、図７及び図８に示すように、第１板裏面５Ｂ（第１仕切板体５）及び第２板裏面６Ｂの間に吸込間隔δを隔てて、第２板裏面６Ｂを第１板裏面６Ｂに対向（対峙）して、第１仕切板体５に並設される。
第２仕切板体６は、第２板裏面６Ｂ（第２板表面６Ａ）を、第１板裏面５Ｂに平行して、板厚さ方向Ｔにおいて、第１仕切板体５に並設（並列）される。
【００１７】
第２仕切板体６は、図１乃至図８に示すように、板長さ方向Ｌ（穴配置方向）の各板長さ端縁６ａ，６ｂ（第２板長さ端縁／第２板長さ端面）を、第１仕切板体５の板長さ方向Ｌ（穴配置方向）の各板長さ端縁５ａ，５ｂ（第１板長さ端縁／第１板長さ端面）に面一に配置して、第１仕切板体５に並設される。第２仕切板体６は、板幅方向Ｈの各板幅端縁６ｃ，６ｄ（第２板幅端縁／第２板幅端面）を、第１仕切板体５の板幅方向Ｈの各板幅端縁５ｃ，５ｄ（第１板幅端縁／第１板幅端面）に面一に配置して、第１仕切板体５に並設される。
これにより、第１及び第２仕切板体５，６（第１及び第２仕切平板）は、第１板裏面５Ｂ及び第２板裏面６Ｂの間に吸込間隔δを有して、第１板裏面５Ｂ及び第２板裏面６Ｂを平行にして並設（並列）される。
【００１８】
閉塞体７（閉塞材／閉塞部材）は、図１乃至図１０に示すように、第１仕切板体５の板端縁（各第１板長さ端縁５ａ，５ｂ及び各第１板幅端縁５ｃ，５ｄ）及び第２仕切板体６の板端縁（各第２板長さ端縁６ａ，６ｂ及び各第２板幅端縁６ｃ，６ｄ）に沿って配置されて第１及び第２仕切板体５，６の間を気密に閉塞して、第１仕切板体５及び第２仕切板体６の間に吸込空間β（密閉空間）を形成（区画）する。閉塞体７は、第１及び第２仕切板体５，６の全板縁端（全板端／全板端面）に沿って配置されて第１及び第２仕切板体５，６の全板端縁の間を気密に閉塞して、第１及び第２仕切板体５，６の間に吸込空間βを形成（区画）する。
これにより、閉塞体７は、第１及び第２仕切板体５，６の全板端縁に沿って第１及び第２仕切板体５，６の各全板端縁の間（第１及び第２仕切板体５，６の間）を閉塞して、第１及び第２仕切板体５，６と共に、パーテーション本体１の内部に密閉された吸込空間βを形成（区画）する。
【００１９】
閉塞体７は、図１乃至図１０に示すように、例えば、天板２１、底板２２、及び一対の側板２３，２４（左側板２３，右側板２４）を有する。
【００２０】
天板２１は、図１乃至図４、及び図６乃至図１０に示すように、矩形の平板（長方形の平板）に形成される。天板２１は、透明な合成樹脂で矩形の平板に形成される。天板２１は、板厚さ方向に天板表面２１Ａ（天板表平面）及び天板裏面２１Ｂ（天板裏平面）を有する、天板表面２１Ａ及び天板裏面２１Ｂは、天板表面２１Ａ及び天板裏面２１Ｂの間に板厚さを有して平行に配置される。
天板２１は、天板２１の板幅方向（短手方向）を第１及び第２仕切板体５，６の板厚さ方向Ｔに向け、天板２１の板長さ方向（長手方向）を第１及び第２仕切板体５，６の板長さ方向Ｌに向けて、第１及び第２仕切板体５，６の一方の板幅端縁５ｃ，６ｃ（一方の板幅端縁５ｃ，６ｃ側）に配置される。
天板２１は、天板裏面２１Ｂを第１及び第２仕切板体５，６の他方の板幅端縁５ｄ，６ｄに向けて配置される。
【００２１】
天板２１（天平板）は、図１、図２、図４、及び図６乃至図１０に示すように、板厚さ方向Ｔにおいて、第１及び第２仕切板体５，６の一方の板幅端縁５ｃ，６ｃの間に配置される。
天板２１は、板長さ方向Ｌにおいて、第１及び第２仕切板体５，６の一方の板幅端縁５ｃ，６ｃに沿って、第１仕切板体５の各板長さ端縁５ａ，５ｂの間及び第２仕切板体６の各板長さ端縁６ａ，６ｂの間に延在（配置）されて、第１及び第２仕切板体５，６の間（一方の各板幅端縁５ｃ，６ｃの間）を閉塞する。天板２１は、第１及び第2仕切板体５，６の一方の板幅端縁５ｃ，６ｃ（一方の板幅端縁５ｃ，６ｃ側）において、第１及び第２仕切板体５，６に固定される。
これにより、天板２１は、板長さ方向Ｌにおいて、第１仕切板体５の各板長さ端縁５ａ，５ｂの間、及び第２仕切板体６の各板長さ端縁６ａ，６ｂの間にわたって、第１及び第２仕切板体５，６の間（一方の板幅端縁５ｃ，６ｃの間）を閉塞する。
【００２２】
底板２２は、図１乃至図３、図５、図７、図８及び図１０に示すように、矩形の平板（長方形の平板）に形成される。底板２２は、透明な合成樹脂で矩形の平板に形成される。底板２２は、板厚さ方向に底板表面２２Ａ（底板表平面）及び底板裏面２２Ｂ（底板裏平面）を有する。底板表面２２Ａ及び底板裏面２２Ｂは、底板表面２２Ａ及び底板裏面２２Ｂの間に板厚さを有して平行に配置される。
底板２２は、底板２２の板幅方向（短手方向）を第１及び第２仕切板体５，６の板厚さ方向Ｔに向け、底板２２の板長さ方向（長手方向）を第１及び第２仕切板体５，６の板長さ方向Ｌに向けて、第１及び第２仕切板体５，６の他方の板幅端縁５ｄ，６ｄ（他方の板幅端縁５ｄ，６ｄ側）に配置される。
底板２２は、底板裏面２２Ｂを第１及び第２仕切板体５，６の一方の板幅端縁５ｃ，６ｄに向けて、天板２１に平行して配置される。
【００２３】
底板２２（底平板）は、図５、図７、図８及び図９に示すように、板厚さ方向Ｔにおいて、第１及び第２仕切板体５，６の他方の板幅端縁５ｄ，６ｄの間に配置される。
底板２２は、板長さ方向Ｌにおいて、第１及び第２仕切板体５，６の他方の板幅端縁５ｄ，６ｄに沿って、第１仕切板体５の各板長さ端縁５ａ，５ｂの間及び第２仕切板体６の各板長さ端縁６ａ，６ｂの間に延在（配置）されて、第１及び第２仕切板体５，６の間（他方の各板幅端縁５ｄ，６ｄの間）を閉塞する。底板２２は、第１及び第２仕切板体５，６の他方の板幅端縁５ｄ，６ｄ（他方の板幅端縁５ｄ，６ｄ側）において、第１及び第２仕切板体５，６に固定される。
これにより、底板２２は、板長さ方向Ｌにおいて、第１仕切板体５の各板長さ端縁５ａ，５ｂの間、及び第２仕切板体６の各板長さ端縁６ａ，６ｂの間にわたって、第１及び第２仕切板体５，６の間（他方の板幅端縁５ｄ，６ｄの間）を閉塞する。
【００２４】
側板２３は、図１乃至図５、図８及び図１０に示すように、矩形の平板（長方形の平板）に形成される。側板２３は、透明な合成樹脂で矩形の平板に形成される。側板２３は、板厚さ方向に側板表面２３Ａ（側板表平面）及び側板裏面２３Ｂを有する。側板表面２３Ａ及び側板裏面２３Ｂは、側板表面２３Ａ及び側板裏面２３Ｂの間に板厚さを有して平行に配置される。
【００２５】
側板２３は、図１乃至図５、図８及び図１０に示すように、側板２３の板幅方向（短手方向）を第１及び第２仕切板体５，６の板厚さ方向Ｔに向け、側板２３の板長さ方向（長手方向）を第１及び第２仕切板体５，６の板幅方向Ｈに向けて、第１及び第２仕切板体５，６の一方の板長さ端縁５ａ，６ａ（一方の板長さ端縁５ａ，６ａ側）に配置される。
側板２３は、側板裏面２３Ｂを第１及び第２仕切板体５，６の他方の板長さ端縁５ｂ，６ｂに向けて、天板２１（底板２２）に直交して配置される。
【００２６】
側板２３（左側平板）は、図１乃至図５、図８及び図１０に示すように、板厚さ方向Ｔにおいて、第１及び第２仕切板体５，６の一方の板長さ端縁５ａ，６ａの間に配置される。
側板２３は、板幅方向Ｈにおいて、第１及び第２仕切板体５，６の他方の板長さ端縁５ａ，６ａに沿って、第１仕切板体５の各板幅端縁５ｃ，５ｄの間及び第２仕切板体６の各板幅端縁６ｃ，６ｄの間に延在（配置）されて、第１及び第２仕切板体５，６の間（一方の各板長さ端縁５ａ，６ａの間）を閉塞する。側板２３は、第１及び第２仕切板体５，６の一方の板幅長さ端縁５ａ，６ａ（一方の板長さ端縁５ａ，６ａ側）において、第１及び第２仕切板体５，６に固定される。
これにより、側板２３は、板幅方向Ｈにおいて、第１仕切板体５の各板幅端縁５ｃ，５ｄの間、及び第２仕切板体６の各板幅端縁６ｃ，６ｄの間にわたって、第１及び第２仕切板体５，６の間（一方の板長さ端縁５ａ，６ａの間）を閉塞する。
【００２７】
側板２４は、図１乃至図７、図９及び図１０に示すように、矩形の平板（長方形の平板）に形成される。側板２４は、透明な合成樹脂で矩形の平板に形成される。側板２４は、板厚さ方向に側板表面２４Ａ（側板表平面）及び側板裏面２４Ｂを有する。側板表面２４Ａ及び側板裏面２４Ｂは、側板表面２４Ａ及び側板裏面２４Ｂの間に板厚さを有して平行に配置される。
【００２８】
側板２４は、図１乃至図７、図９及び図１０に示すように、側板２４の板幅方向（短手方向）を第１及び第２仕切板体５，６の板厚さ方向Ｔに向け、側板２４の板長さ方向（長手方向）を第１及び第２仕切板体５，６の板幅方向Ｈに向けて、第１及び第２仕切板体５，６の他方の板長さ端縁５ｂ，６ｂ（他方の板長さ端縁５ｂ，６ｂ側）に配置される。
側板２４は、側板裏面２４Ｂを第１及び第２仕切板体５，６の一方の板長さ端縁５ａ，６ａに向けて、天板２１（底板２２）に直交し、及び側板２３に平行して配置される。
【００２９】
側板２４（右側平板）は、図１乃至図７、図９及び図１０に示すように、板厚さ方向Ｔにおいて、第１及び第２仕切板体５，６の他方の板長さ端縁５ｂ，６ｂの間に配置される。
側板２４は、板幅方向Ｈにおいて、第１及び第２仕切板体５，６の他方の板長さ端縁５ｂ，６ｂに沿って、第１仕切板体５の各板幅端縁５ｃ，５ｄの間及び第２仕切板体６の各板幅端縁６ｃ，６ｄの間に延在（配置）されて、第１及び第２仕切板体５，６の間（他方の各板長さ端縁５ｂ，６ｂの間）を閉塞する。側板２４は、第１及び第２仕切板体５，６の他方の板幅長さ端縁５ｂ，６ｂ（他方の板長さ端縁５ｂ，６ｂ側）において、第１及び第２仕切板体５，６に固定される。
これにより、側板２４は、板幅方向Ｈにおいて、第１仕切板体５の各板幅端縁５ｃ，５ｄの間、及び第２仕切板体６の各板幅端縁６ｃ，６ｄの間にわたって、第１及び第２仕切板体５，６の間（他方の板長さ端縁５ｂ，６ｂの間）を閉塞する。
閉塞体７（天板２１、底板２２及び各側板２３，２４）、第１仕切板体５及び第２仕切板体６は、直方体のパーテーション本体１を構成（形成）して、パーテーション本体１の内部に吸込空間βを気密に形成（区画）する。パーテーション本体１は、第１及び第２仕切板体５，６の各全板端縁に沿って閉塞体７を配置して、閉塞体７で第１及び第２仕切板体５，６の間（各全板端縁の間）を閉塞することで、内部に吸込空間βを有する直方体に形成される。パーテーション本体１は、板厚さ方向Ｔに本体幅Ｈ２を有して中空直方体に形成される。
【００３０】
吸引穴８（吸引口）は、図７、図９及び図１０に示すように、パーテーション本体１に形成されて、吸込空間βに連通される。吸引穴８は、例えば、閉塞体７に形成される。吸引穴８は、矩形穴であって、一方の側板２４（右側板２４）に形成される。
吸引穴８は、板幅方向Ｈにおいて、第１及び第２仕切板体５，６の他方の板幅端縁５ｄ，６ｄ側に配置される。吸引穴８は、第１及び第２仕切板体５，６の板幅方向Ｈの板幅中心ａより他方の板幅端縁５ｄ，５ｃ側に配置される。
吸引穴８は、板長さ方向Ｌにおいて、側板２４（閉塞体７）を貫通して側板２４の側板表面２４Ａ及び側板裏面２４Ｂに開口して、吸込空間β（第１及び第２仕切板体５，６の間の吸込空間β）に連通される。
【００３１】
各第１吸込穴９，１０は、図２、図３、図７及び図８に示すように、第１仕切板体５に形成される。各第１吸込穴９，１０は、第１仕切板体５の板厚さ方向Ｈと直交する穴配置方向Ｌ（板長さ方向Ｌ）において、第１仕切板体５の各板長さ端縁５ａ，５ｂの間にわたって配置される。
各第１吸込穴９，１０は、例えば、矩形穴（長方形穴）であって、第１仕切板体５の一方の板幅端縁５ｃ側に配置される。各第１吸込穴９，１０は、第１仕切板体５の板幅中心ａより一方の板幅端縁５ｃ側に配置される。
各第１吸込穴９，１０は、第１仕切板体５の板幅方向Ｈにおいて、第１仕切板体５の一方の板幅端縁５ｃに穴縦間隔ｑ（第１穴間隔）を隔てて、第１仕切板体５の一方の板幅端縁５ｃ（天板２１）に平行して配置される。
【００３２】
第１吸込穴９（一方の板長さ端縁５ａ側の第1吸込穴）は、図２、図３及び図８に示すように、穴配置方向Ｌ（第１仕切板体５の板長さ方向Ｌ）において、第１仕切板体５の一方の板長さ端縁５ａに穴横間隔γ（第２穴間隔）を隔てて配置される。第１吸込穴９は、第１仕切板体５の板幅方向Ｈに穴幅Ｈａ、及び穴配置方向Ｌに穴長さＬａを有して、第１仕切板体５の一方の板長さ端縁５ａ及び板長さ中心ｂ（穴配置方向Ｌの第１仕切板体５の中心）の間に延在される。
第１吸込穴９は、第１仕切板体５の板厚さ方向Ｈにおいて、第１仕切板体５を貫通して第１板表面５Ａ及び第１板裏面５Ｂに開口されて、吸込空間δ（第１及び第２仕切板体５，６の間の吸込空間δ）に連通される。
【００３３】
第１吸込穴１０（他方の板長さ端縁５ｂ側の第１吸込穴）は、図３に示すように、穴配置方向Ｌ（第１仕切板体５の板長さ方向Ｌ）において、第１仕切板体５の他方の板長さ端縁５ｂに穴横間隔γ（第２穴間隔）を隔てて配置され、第１吸込穴９に穴横中間隔τ（第３間隔）を隔てて配置される。第１吸込穴１０は、第１仕切板体５の板幅方向Ｈに穴幅Ｈａ、及び穴配置方向Ｌに穴長さＬａを有して、第１仕切板体５の他方の板長さ端縁５ｂ及び板長さ中心ｂの間に延在される。
第１吸込穴１０は、図２、図３及び図８に示すように、第１仕切板体５の板厚さ方向Ｈにおいて、第１仕切板体５を貫通して第１板表面５Ａ及び第１板裏面５Ｂに開口されて、吸込空間β（第１及び第２仕切板体５，６の間の吸込空間β）に連通される。
【００３４】
各第２吸込穴１１，１２は、図１、図７、図８及び図１０に示すように、第２仕切板体６に形成される。各第２吸込穴１１，１２は、第２仕切板体６の板厚さ方向Ｈと直交する穴配置方向Ｌ（板長さ方向Ｌ）において、第２仕切板体６の各板長さ端縁６ａ，６ｂの間にわたって配置される。
各第２吸込穴１１，１２は、例えば、矩形穴（長方形穴）であって、第２仕切板体６の一方の板幅端縁６ｃ側に配置される。各第２吸込穴１１，１２は、第２仕切板体６の板幅中心ａより一方の板幅端縁６ｃ側に配置される。
各第２吸込穴１１，１２は、第２仕切板体６の板幅方向Ｈにおいて、第２仕切板体６の一方の板幅端縁６ｃに穴縦間隔ｑ（第１穴間隔）を隔てて、第２仕切板体６の一方の板幅端縁６ｃ（天板２１）に平行して配置される。
【００３５】
第２吸込穴１１（一方の板長さ端縁６ａ側の第1吸込穴）は、図１０に示すように、穴配置方向Ｌ（第２仕切板体６の板長さ方向Ｌ）において、第２仕切板体６の一方の板長さ端縁６ａに穴横間隔γ（第２穴間隔）を隔てて配置される。第２吸込穴１１は、第２仕切板体６の板幅方向Ｈに穴幅Ｈａ、及び穴配置方向Ｌに穴長さＬａを有して、第２仕切板体６の一方の板長さ端縁６ａ及び板長さ中心ｂ（穴配置方向Ｌの第２仕切板体６の中心）の間に延在される。第２吸込穴１１は、第２仕切板体６の板厚さ方向Ｈにおいて、第１吸込穴９に対向（対峙）して、第１吸込穴９に平行して配置される。
第２吸込穴１１は、図１、図８及び図１０に示すように、第２仕切板体６の板厚さ方向Ｈにおいて、第２仕切板体６を貫通して第２板表面６Ａ及び第２板裏面６Ｂに開口されて、吸込空間β（第１及び第２仕切板体５，６の間の吸込空間β）に連通される。
【００３６】
第２吸込穴１２（他方の板長さ端縁６ｂ側の第２吸込穴）は、図１０に示すように、穴配置方向Ｌ（第２仕切板体６の板長さ方向Ｌ）において、第２仕切板体６の他方の板長さ端縁６ｂに穴横間隔γ（第２穴間隔）を隔てて配置され、第２吸込穴１１に穴横中間隔τ（第３間隔）を隔てて配置される。第２吸込穴１２は、第２仕切板体６の板幅方向Ｈに穴幅Ｈａ、及び穴配置方向Ｌに穴長さＬａを有して、第２仕切板体６の他方の板長さ端縁６ｂ及び板長さ中心ｂの間に延在される。第２吸込穴１２は、第２仕切板体６の板厚さ方向Ｈにおいて、第１吸込穴１０に対向（対峙）して、第１吸込穴１０に平行して配置される。
第２吸込穴１２は、図１、図７及び図１０に示すように、第２仕切板体６の板厚さ方向Ｈにおいて、第２仕切板体６を貫通して第２板表面６Ａ及び第２板裏面６Ｂに開口されて、吸込空間β（第１及び第２仕切板体５，６の間の吸込空間β）に連通される。
【００３７】
吸引ダクト管２は、図１乃至図７、及び図１０に示すように、一方のダクト管端２Ａから吸引穴８（吸込空間β）に接続されて、パーテーション本体１（第1及び第１仕切板体５，６）に固定される。
【００３８】
吸引ダクト管２は、図９に示すように、吸引穴８と略同一の断面矩形（断面長方形）の管状（筒状）に形成される。吸引ダクト管２は、図１乃至図７、図９に示すように、一対の取付板片３１，３２を有する。各取付板片３１，３２は、各取付板片３１，３２の間に本体幅Ｈ２と略同一の板間隔σを有して、一方のダクト管端２Ａから突出される。
吸引ダクト管２は、第１及び第２仕切板体５，６の他方の板長さ端縁５ｂ，６ｂから各取付板片３１，３２の間にパーテーション本体１（第１及び第２仕切板体５，６及び側板２４）を圧入（挿入）して、一方のダクト管端２Ａを吸引穴８に一致（位置）して配置される。各取付板片３１，３２は、第１及び第２仕切板体５，６の第１及び第２板表面５Ａ，６Ａに圧接されて、板厚さ方向Ｔからパーテーション本体１（一方の板長さ端縁５ｂ，６ｂ側のパーテーション本体１）を挟持する。
吸引ダクト管２は、一方のダクト管端２Ａを他方の板長さ端縁５ｂ，６ｂ及び側板２４に当接（圧接）して、吸引穴８に気密に接続される。
これにより、吸引ダクト管２は、一方のダクト管端２Ａから吸引穴８に気密に連続して配置されて、吸引穴８を通して吸込空間β（第１及び第２仕切板体５，６の間の吸込空間β）に気密に接続される。
【００３９】
吸引ダクト管２は、図１乃至図７に示すように、各取付板片３１，３２を、各取付板片の間に挿入した第１及び第２仕切板体５，６に取付られる。
これにより、吸引ダクト管２は、一方のダクト管端２Ａを各取付板片３１，３２によってパーテーション本体１に固定して、吸引穴８を通して吸込空間βに連通される。
【００４０】
図１１乃至図１３において、パーテーション装置Ｘ１は、複数の人の間に第１及び第２仕切板体５，６を配置して、人の口や鼻からの飛沫を遮断しつつ吸込む。
【００４１】
パーテーション装置Ｘ１は、図１１乃至図１３に示すように、複数（３つの）の台座３５，３６，３７を備えて、例えば、複数の人が対面するテーブル３８に設置される。各台座３５，３６，３７は、断面矩形状（断面長方形状）の直方体に形成される。
パーテーション装置Ｘ１において、各台座３５〜３７は、テーブル板３９のテーブル板表面３９Ａ（設置面）に載置される。各台座３５〜３７は、テーブル板３９のテーブル幅方向ＬＨの中央に配置される。各台座３５〜３７は、テーブル板３９のテーブル板長さ方向ＬＴにおいて、各台座３５，３６，３７の間に台座間隔λを隔てて並設される。各台座３５，３６は、直方体の長手方向をテーブル板長さ方向ＬТに向けて配置される。台座３７は、直方体の長手方向をテーブル板幅方向ＬＨに向けて配置される。
【００４２】
パーテーション装置Ｘ１は、図１１乃至１３に示すように、パーテーション本体１を各台座３５，３６，３７に載置して、テーブル３８［テーブル板３９のテーブル板表面３９Ａ（設置面）］に設置される。
パーテーション本体１は、第１及び第２仕切板体５，６の板長さ方向Ｌをテーブル板長さ方向ＬＨに向け、第１及び第２仕切板体５，６の板幅方向Ｈをテーブル３８の上下方向ＵＤ（テーブル板長さ方向ＬＴ及びテーブル板幅方向ＬＨと直交する方向）に向けて配置される。
パーテーション装置Ｘ１は、図１１乃至図１３に示すように、パーテーション本体１の底板２２（閉塞体７）を各台座３５，３６，３７に当接しつつ第１及び第２仕切板体５，６（パーテーション本体１）を各台座３５，３６，３７に立設される。
パーテーション装置Ｘ１において、パーテーション本体１は、閉塞体７の底板２２を各台座３５，３６，３７に取付けて、パーテーション本体１を各台座３５，３６，３７に固定して配置される。
これにより、パーテーション本体１は、複数の人の間（テーブル板３９のテーブル板幅方向ＬＨの中央）に第１及び第２仕切板体５，６を各台座３５，３６，３７に立設して配置される。
パーテーション本体１は、各台座３５，３６，３６の間（台座間隔λ）において、各台座３５，３６，３７、底板２２（閉塞体７）及びテーブル板表面３９Ａ（設置面）とで複数（２つの）の受渡し空間４０（受渡し路）を形成（区画）する。
【００４３】
パーテーション装置Ｘ１において、吸引ダクト管２は、図１１乃至図１３に示すように、他方のダクト管端２Ｂから吸引機４５に接続される。吸引ダクト管２は、他方のダクト管端２Ｂ側を吸引機４５の吸引管４６に気密に外嵌して、他方のダクト管端２Ｂを吸引機４５（吸引管４６）に接続する。
これにより、パーテーション装置Ｘ１において、パーテーション本体１（吸込空間β）は、吸引ダクト管２及び吸引管４６を通して吸引機４５に接続される。
【００４４】
吸引機４５は、例えば、空気清浄機（集塵機）であって、空気（飛沫等を含む空気）を吸引及び清浄して、清浄空気を外部に排出する。
【００４５】
複数の人は、テーブル３８（テーブル板３９）の幅方向ＬＨにおいて、各人の間にパーテーション本体１（第１及び第２仕切板体５，６）を配置して、テーブル板３９の各テーブル板幅端３９Ｂ，３９Ｃ側に着座する。複数の人は、図１３に示すように、パーテーション本体１の第１仕切板体５又は第２仕切板体６に対面して位置される。
これにより、複数の人は、第１及び第２仕切板体５，６（パーテーション本体１）を間に位置して、人の顔を対面する。各第１吸込穴９，１０、及び各第２吸込穴１１，１２は、各人の顔に対面して配置される。
【００４６】
空気清浄機４５（吸引機）を駆動して、吸引ダクト管２、及びパーテーション本体１内（吸込空間β）の空気を吸引する、
パーテーション装置Ｘ１において、パーテーション本体１は、図７、図８、図１０、及び図１１に示すように、空気清浄機４５（吸引機）の吸引によって、各人と第１及び第２仕切板体５，６の間の空間の空気（飛沫等を含む空気）を各第１吸込穴９，１０及び各第２吸込穴１１，１２から吸込んで、吸引ダクト管２から空気清浄機４５に流出する。
これにより、パーテーション装置Ｘ１は、図１１乃至図１３に示すように、各人の口や鼻からの飛沫を第１及び第２仕切板体５，６で遮断しつつ、人の口や鼻からの飛沫（飛沫等を含む空気）を各第１吸込穴９，１０及び各第２吸込穴１１，１２から吸込空間βに吸込ことで、飛沫が対面する人に飛散することを防止する。複数の口や鼻からの飛沫は、各第１吸込穴９，１０、及び各第２吸込穴１１，１２から吸込空間β（パーテーション本体１内）に吸込まれ、吸引ダクト管２を通して空気清浄機４５に流出される。空気清浄機４５は、吸引ダクト管２を通して流入される空気（飛沫等を含む空気）を清浄して、清浄空気を空気清浄機４５の外部に排出する。
パーテーション装置Ｘでは、各人（各人の顔）を第１及び第２仕切板体５，６（パーテーション本体１）に対面した状態で、書類、筆記用具等を含む物品を受渡し空間４０を通して、対面する人に渡すことがでる。
【００４７】
第２実施形態に係るパーテーション装置について、図１４乃至図４０を参照して説明する。
なお、図１４乃至図４０において、図１乃至図１３と同一符号は、同一部材、同一構成であるので、その詳細な説明は省略する。
【００４８】
図１４乃至図４０において、第２実施形態のパーテーション装置Ｘ２は（以下、「パーテーション装置Ｘ２」という）は、複数の人の間に配置されて、人の口や鼻からの飛沫を遮断しつつ吸込む。
パーテーション装置Ｘ２は、図１４乃至図４０に示すように、パーテーション本体６０、及び吸引ダクト管６１を備える。
【００４９】
パーテーション本体６０は、図１４乃至図３０、及び図３２乃至図４０に示すように、第１仕切板体５、第２仕切板体６、第１ダクト板体６２，第１ダクト板体６３、閉塞体６７、複数（２つ）の第１吸込穴９，１０、及び複数（２つ）の第２吸込穴１１，１２を有する。
【００５０】
第１仕切板体５は、図３３、及び図３５乃至図３８に示すように、複数（一対）の円弧板端縁５ｅ，５ｆ（第１円弧板端／第１円弧板端面）を有する。円弧板端縁５ｅ，５ｆは、半径ｒの円弧状に形成される。
【００５１】
第１仕切板体５において、一方の円弧板端縁５ｅは、図３３、図３５及び図３７に示すように、第１仕切板体５の一方の板幅端縁５ｃ及び一方の板長さ端縁５ａの間に配置される。一方の円弧板端縁５ｅは、板端縁から突出（凸状に突出）して、第１仕切板体５の一方の板長さ端縁５ａ及び一方の板幅端縁５ｃに連続して形成（配置）される。
【００５２】
第１仕切板体５において、他方の円弧板縁端５ｆは、図３３、図３６及び図３７に示すように、第１仕切板体５の他方の板長さ端縁５ｂ及び一方の板幅端縁５ｃの間に配置される。他方の円弧板端縁５ｆは、板端縁から突出（凸状に突出）して、他方の板長さ端縁５ｂ及び一方の板幅端縁５ｃに連続して形成される。
第１仕切板体５は、各板長さ端縁５ａ，５ｂ、各板幅端縁５ｃ，５ｄ及び各円弧板端縁５ｅ，５ｆで板端縁を形成する。
【００５３】
第２仕切板体６は、図３４乃至図３８に示すように、複数（一対）の円弧板端縁６ｅ，６ｆ（第２円弧板端／第２円弧板端面）を有する。各円弧板端縁６ｅ，６ｆは、半径ｒ（第１仕切板体５と同一半径）の円弧状に形成される。
【００５４】
第２仕切板体６において、一方の円弧板端縁６ｅは、図３４、図３５及び図３７に示すように、第２仕切板体６の一方の板幅端縁６ｃ及び一方の板長さ端縁６ａの間に配置される。一方の円弧板端縁６ｅは、板端縁から突出（凸状に突出）して、第２仕切板体６の一方の板長さ端縁６ａ及び一方の板幅端縁６ｃに連続して形成（配置）される。
【００５５】
第２仕切板体６において、他方の円弧板縁端６ｆは、図３４、図３６及び図３７に示すように、第２仕切板体６の他方の板長さ端縁６ｂ及び一方の板幅端縁６ｃの間に配置される。他方の円弧板端縁６ｆは、板端縁から突出（凸状に突出）して、他方の板長さ端縁６ｂ及び一方の板幅端縁６ｃに連続して形成される。
第２仕切板体６は、各板長さ端縁６ａ，６ｂ、各板幅端縁６ｃ，６ｄ及び各円弧板端縁６ｅ，６ｆで板端縁を形成する。
これにより、第１及び第２仕切板体５，６は、同一の平板形状に形成される。
【００５６】
第１ダクト板体６２は、図３３、及び図３６乃至図３８に示すように、例えば、矩形の平板（長方形状の平板）に形成される。第１ダクト板体６２は、透明の合成樹脂で矩形状の平板（長方形状の平板）に形成される。
第１ダクト板体６２は、ダクト板厚さ方向ＴＡに第１ダクト板表面６２Ａ（第１ダクト板表平面）及び第１ダクト板裏面６２Ｂ（第１ダクト板裏平面）を有する。第１ダクト板表面６２Ａ及び第１ダクト板裏面６２Ｂは、第１ダクト板表面６２Ａ及び第１ダクト板裏面６２Ｂの間に板厚さ（第１仕切板体５と同一の板厚さ）を有して平行に配置される。
第１ダクト板体６２は、板厚さ方向ＴＡと直交するダクト板長さ方向ＬＡ（長手方向）に板幅Ｈより短いダクト板長さＬａを有し、ダクト板厚さ方向ＴＡ及びダクト長さ方向ＬＡと直交するダクト板幅ＨＡ（短手方向）にダクト板幅Ｈａを有する。
【００５７】
第１ダクト板体６２は、図３４、及び図３６乃至図３８に示すように、第１仕切板体５の板幅方向Ｈにおいて、他方の板幅板縁５ｄ側に配置される。第１ダクト板体６２は、第１仕切板体５の板幅方向Ｈにおいて、一方の板幅端縁５ｃに板配置間隔ｍを隔てて配置される。
第１ダクト板体６２は、ダクト板長さ方向ＬＡを第１仕切板体５の板幅方向Ｈに向け、及びダクト板幅方向ＨＡを第１仕切板体５の板長さ方向Ｌに向けて、他方の板長さ端縁５ｂに隣接（連続）して、第１仕切板他５に固定（連結）される。
第１ダクト板体６２は、ダクト板幅方向ＨＡの一方のダクト板幅端縁６２ａを他方の板長さ端縁５ｂに当接して、第１仕切板体５の板長さ方向Ｌにおいて、第１仕切板体５に並設（並列）される。
【００５８】
第１ダクト板体６２は、図３３、及び図３６乃至図３８に示すように、第１ダクト板裏面６２Ｂを第１板裏面５Ｂに連続し、及び第１ダクト板表面６２Ａを第1板表面５Ａに連続して配置され、第１仕切板体５と一体に形成される。第１ダクト板体６２において、第１ダクト板裏面６２Ｂは、第１板裏面５Ｂと同一平面に配置され、第１ダクト板表面６２Ａは、第１板表面５Ａと同一平面に配置される。
これにより、第１ダクト板体６２は、第1仕切板体５の板長さ方向Ｌにおいて、他方の板長さ端縁５ｂから突出して、第１仕切板体５に並設される。
【００５９】
第１ダクト板体６２において、ダクト板長さ方向Ｌａの各ダクト板長さ端縁６２ｃ，６２ｄは、図３３、及び図３６乃至図３８に示すように、第１仕切板体５の板幅方向Ｈにおいて、各ダクト板長さ端縁６２ｃ，６２ｄの間にダクト板長さＬａを有して配置され、他方の板長さ端縁５ｂと直交して配置される。一方のダクト板長さ端縁６２ｃは、一方の板幅端縁５ｃ側に配置され、他方のダクト板長さ端縁６２ｄは、他方の板幅端縁５ｄ側に配置される。
第１ダクト板体６２において、ダクト板幅方向ＨＡの他方のダクト板幅端縁６２ｂは、第１仕切板体５の板長さ方向Ｌにおいて、他方の板長さ端縁５ｂにダクト板幅Ｈａを隔てて、他方の板長さ端縁５ｂと平行に配置される。
【００６０】
第１ダクト板体６２は、図３３及び図３６に示すように、複数（一対）のダクト円弧板縁端６２ｅ，６２ｆ（第１ダクト円弧板端／第１ダクト円弧板端）を有する。各ダクト円弧板端縁６２ｅ，６２ｆは、半径ｒ１の円弧状に形成される。
【００６１】
第１ダクト板体６２において、一方のダクト円弧板端縁６２ｅは、図３３に示すように、一方のダクト板幅端６２ｃ及び他方の板長さ端縁５ｂ（第１仕切板体５）の間に配置される。一方のダクト円弧板端縁６２ｅは、第１仕切板体５側に凹んで（凹状に窪んで）、一方のダクト板幅端縁６２ｃ及び他方の板幅端縁５ｂに連続して形成される。
【００６２】
第１ダクト板体６２において、他方のダクト円弧板端縁６２ｆは、図３３に示すように、他方のダクト板幅端６２ｄ及び他方の板長さ端縁５ｂ（第１仕切板体５）の間に配置される。他方のダクト円弧板端縁６２ｆは、第１仕切板体５側に凹んで（凹状に窪んで）、他方のダクト板幅端縁６２ｄ及び他方の板幅端縁５ｂに連続して形成される。
【００６３】
第２ダクト板体６３は、図３４、及び図３６乃至図３８に示すように、例えば、第１ダクト板体６２と同一形状であって、矩形の平板（長方形状の平板）に形成される。第２ダクト板体６３は、透明の合成樹脂で矩形状の平板（長方形状の平板）に形成される。
第２ダクト板体６３は、板厚さ方向Ｔに第２ダクト板表面６３Ａ（第２ダクト板表平面）及び第２ダクト板裏面６３Ｂ（第２ダクト板裏平面）を有する。第２ダクト板表面６３Ａ及び第２ダクト板裏面６３Ｂは、第２ダクト板表面６３Ａ及び第２ダクト板裏面６３Ｂの間に板厚さ（第２仕切板体６と同一の板厚さ）を有して平行に配置される。
第２ダクト板体６３は、第１ダクト板体６２と同様に、板長さ方向ＬＡ（長手方向）に板幅Ｈより短いダクト板長さＬａを有し、ダクト板幅ＨＡ（短手方向）にダクト板幅Ｈａを有する。
【００６４】
第２ダクト板体６３は、図３４及び図３６に示すように、第２仕切板体６の板幅方向Ｈにおいて、他方の板幅板縁６ｄ側に配置される。第２ダクト板体６３は、第２仕切板体６の板幅方向Ｈにおいて、一方の板幅端縁６ｃに板配置間隔ｍ（第１ダクト板体６２と同一の間隔）を隔てて配置される。
第２ダクト板体６３は、ダクト板長さ方向ＬＡを第２仕切板体５の板幅方向Ｈに向け、及びダクト板幅方向ＨＡを第２仕切板体６の板長さ方向Ｌに向けて、他方の板長さ端縁６ｂに隣接（連続）して、第２仕切板体６に固定（連結）される。
第２ダクト板体６３は、ダクト板幅方向ＨＡの一方のダクト板幅端縁６３ａを他方の板長さ端縁６ｂに当接して、第２仕切板体６の板長さ方向Ｌにおいて、第２仕切板体６に並設（並列）される。
【００６５】
第２ダクト板体６３は、図３４、及び図３６乃至図３８に示すように、第２ダクト板裏面６３Ｂを第２板裏面６Ｂに連続し、及び第２ダクト板表面６３Ａを第２板表面６Ａに連続して配置され、第２仕切板体６と一体に形成される。第２ダクト板体６３において、第２ダクト板裏面６３Ｂは、第２板裏面６Ｂと同一平面に配置され、第２ダクト板表面６３Ａは、第２板表面６Ａと同一平面に配置される。
これにより、第２ダクト板体６３は、第２仕切板体６の板長さ方向Ｌにおいて、他方の板長さ端縁５ｂから突出して、第２仕切板体６に並設される。
【００６６】
第２ダクト板体６３において、ダクト板長さ方向Ｌａの各ダクト板長さ端縁６３ｃ，６３ｄは、図３４、及び図３６乃至図３８に示すように、第２仕切板体６の板幅方向Ｈにおいて、各ダクト板長さ端縁６３ｃ，６３ｄの間にダクト板長さＬａを有して配置され、他方の板長さ端縁６ｂと直交して配置される。一方のダクト板長さ端縁６３ｃは、一方の板幅端縁６ｃ側に配置され、他方のダクト板長さ端縁６３ｄは、他方の板幅端縁６ｄ側に配置される。
第２ダクト板体６３において、ダクト板幅方向ＨＡの他方のダクト板幅端縁６３ｂは、第２仕切板体６の板長さ方向Ｌにおいて、他方の板長さ端縁６ｂにダクト板幅Ｈａを隔てて、他方の板長さ端縁６ｂと平行に配置される。
【００６７】
第２ダクト板体６３は、図３４及び図３６に示すように、複数（一対）のダクト円弧板縁端６３ｅ，６３ｆ（第２ダクト円弧板端／第２ダクト円弧板端）を有する。各ダクト円弧板端縁６３ｅ，６３ｆは、半径ｒ１（第１ダクト板体６２と同一半径）の円弧状に形成される。
【００６８】
第２ダクト板体６３において、一方のダクト円弧板端縁６３ｅは、図３４に示すように、一方のダクト板幅端縁６３ｃ及び他方の板長さ端縁６ｂ（第２仕切板体６）の間に配置される。一方のダクト円弧板端縁６３ｅは、第２仕切板体６側に凹んで（凹状に窪んで）、一方のダクト板幅端縁６３ｃ及び他方の板幅端縁６ｂに連続して形成される。
【００６９】
第２ダクト板体６３において、他方のダクト円弧板端縁６３ｆは、図３４に示すように、他方のダクト板幅端縁６３ｄ及び他方の板長さ端縁６ｂ（第２仕切板体６）の間に配置される。他方のダクト円弧板端縁６３ｆは、第２仕切板体６側に凹んで（凹状に窪んで）、他方のダクト板幅端縁６３ｄ及び他方の板幅端縁６ｂに連続して形成される。
【００７０】
第２仕切板体６は、図１乃至図８で説明したと同様に、第１板裏面５Ｂ及び第２板裏面６Ｂの間に吸込間隔δを隔てて、第２板裏面６Ｂを第１板裏面５Ｂに対向（対峙）して、第１仕切板体５に並設される。
【００７１】
第２仕切板体６は、図１乃至図８で説明したと同様に、各板長さ端縁６ａ，６ｂ及び各板幅端縁６ｃ，６ｄを、第１仕切板体５の各板長さ端縁５ａ，５ｂ及び各板幅端縁５ｃ，５ｄに面一に配置して、第１仕切板体５に並設される（図３３乃至図３８参照）。
第２仕切板体６は、各円弧板端縁６ｅ，６ｆを、第１仕切板体５の各円弧板端縁６ｅ，６ｆに面一に配置して、第１仕切板体５に並設される。
【００７２】
第２ダクト板体６３は、図３６乃至図３８に示すように、第１及び第２仕切板体５，６を並設すると、第１ダクト板裏面６２Ｂ及び第２ダクト板裏面６３Ｂの間に吸込間隔δを隔てて、第２ダクト板裏面６３Ｂを第１ダクト板裏面６２Ｂに対向（対峙）して、第１ダクト板体６２に並設される。
第２ダクト板体６３は、第２ダクト板裏面６３Ｂ（第２ダクト板表面６３Ａ）を、第１ダクト板裏面６２Ｂに平行して、ダクト板厚さ方向ＴＡにおいて、第１ダクト板体６２に並設（並列）される。
【００７３】
第２ダクト板体６３は、図３３、図３４、及び図３６乃至図３８に示すように、他方のダクト板幅端縁６２ｂを、第１ダクト板体６２の他方のダクト板幅端縁６２ｂに面一に配置して、第１ダクト板体６２に並設される。第２ダクト板体６３は、各ダクト板長さ端縁６３ｃ，６３ｄを、第１ダクト板体６２の各ダクト板長さ端縁６２ｃ，６２ｄに面一に配置して、第１ダクト板体６２に並設される。第２ダクト板体６３は、各ダクト円弧板端縁６３ｅ，６３ｆを、第１ダクト板体６２の各ダクト円弧板端縁６２ｅ，６２ｆに面一に配置して、第１ダクト板体６２に並設される。
これにより、第１及び第２ダクト板体６２，６３は、第１ダクト板裏面６２Ｂ及び第２ダクト板裏面６３Ｂの間に吸込空間δを有して、第１１ダクト板裏面６２Ｂ及び第２ダクト板裏面６３Ｂを平行にして並設（並列）される。
【００７４】
閉塞体６７は、図１４乃至図３０、及び図３２に示すように、第１閉塞部材７１、及び複数（２つ）の第２閉塞部材７２，７３を有する。
【００７５】
閉塞体６７は、図１４乃至図３０、及び図３２に示すように、第１閉塞部材７１及び各第２閉塞部材７２，７３を第１及び第２仕切板体の板端縁（各板長さ端縁５ａ，５ｂ，６ａ，６ｂ、各板幅端縁５ｃ，５ｄ，６ｃ，６ｄ及び各円弧板端縁５ｅ，５ｆ，６ｅ，６ｆ）に沿って配置して、第１閉塞部材７１及び各第２閉塞部材７２，７３で第１及び第２仕切板体５，６の間を気密に閉塞して、第１及び第２仕切板体５，６の間に吸込空間β（密閉空間）を形成（区画）する。
第１閉塞部材７１及び各第２閉塞部材７１，７２，７３は、第１及び第２仕切板体５，６の全板端縁に沿って配置されて、第１及び第２仕切板体５，６の全板端縁の間を気密に閉塞して、第１及び第２仕切板体５，６の間に吸込空間βを形成（区画）する。
【００７６】
第１閉塞部材７１は、図１４、図１５、図１６、図２０、図２７及び図３２に示すように、第１及び第２仕切板体の板端縁の一部（他方の各板幅端縁５ｄ，６ｄ）に沿って配置されて第１及び第２仕切板体５，６の間を閉塞して、第１及び第２仕切板体５，６に固定される。
第１閉塞部材７１は、例えば、図５、図７、図８及び図９で説明したと同様に、底板２２である。
【００７７】
各第２閉塞部材７２，７３は、図１４乃至図３０、及び図３２に示すように、第１及び第２仕切板体の板端縁の一部を除く残りの板端縁（各板長さ端縁５ａ，５ｂ，６ａ，６ｂ、他方の板幅端縁５ｃ，６ｃ及び各円弧板端縁５ｅ，６ｅ，５ｅ，６ｆ）に沿って配置されて第１及び第２仕切板５，６の間を閉塞して、第１及び第２仕切板体５，６に取外し自在に取付けられる。
一方の第２閉塞部材７２は、図１４乃至図２４、及び図３２に示すように、第１及び第２仕切板体５，６の一方の板長さ端縁５ａ，６ａ、一方の円弧板端縁５ｅ，６ｅ、一方の板幅端縁５ｃ，６ｃ、他方の円弧板端縁５ｆ，６ｆ及び他方の板長さ端縁５ｂ，６ｂに沿って配置されて、第１及び第２仕切板体の板端縁（一方の板長さ端縁５ａ，６ａ、一方の円弧板端縁５ｅ，６ｅ、一方の板幅端縁５ｃ，６ｃ、他方の円弧板端縁５ｆ，６ｆ及び他方の板長さ端縁５ｂ，６ｂ）の間を気密に閉塞する。
他方の第２閉塞部材７３は、図１４乃至図１６、図１６、図１８、図２０、図２５、図２９（ａ）及び図３２に示すように、第１仕切板体５，６の他方の板長さ端縁５ｂ，６ｂに沿って配置されて、第１及び第２仕切板体５，６の板端縁（他方の板長さ端縁５ｂ，６ｂ）の間を気密に閉塞する。
【００７８】
一方の第２閉塞部材７２は、図１４乃至図１６、図１８、図１９、及び図２６乃至図２８に示すように、第１及び第２ダクト板体６２，６２の一方のダクト板長さ端縁６２ｃ，６３ｃ及び一方のダクト円弧板端縁６２ｅ，６２ｅに沿って配置されて、第１及び第２ダクト板体６２，６３の間（各ダクト板長さ端縁６２ｃ，６３ｃの間及び各ダクト円弧板端縁６２ｅ，６３ｅの間）を気密に閉塞する。
他方の第２閉塞部材７３は、図１４乃至図１６、図１８、図２０、図２７、図２９（ｂ）及び図３０に示すように、第１及び第２ダクト板体６２，６２の他方のダクト板長さ端縁６２ｄ，６３ｄ及び他方のダクト円弧板端縁６２ｆ，６２ｆに沿って配置されて、第１及び第２ダクト板体６２，６３の間（各ダクト板長さ端縁６２ｄ，６３ｄの間及び各ダクト円弧板端縁６２ｆ，６３ｆの間）を気密に閉塞する。
これにより、各第２閉塞部材７２，７３は、図２７及び図３２に示すように、第１及び第２ダクト板体６２，６３の間を気密に閉塞して、第１及び第２ダクト板体６２，６３の間に流出空間Ｍ（密閉流出空間／流出路）を形成（区画）する。
流出空間Ｍ（流出路）は、図２７及び図３２に示すように、第１及び第２ダクト板体６２,６３の一方のダクト板長さ端縁６２ａ,６３ａから吸込空間βに連通される。流出空間Ｍは、第１及び第２ダクト板体６２,６３の他方のダクト板長さ端縁６２ｂ,６３ｂに断面矩形状の吸引口６８を有して、開口される。
【００７９】
各第２閉塞部材７２，７３は、可撓性の弾性材料であって、軟質の合成樹脂（可撓性を有する合成樹脂）、又は軟質の合成ゴム（可撓性を有する合成ゴム）で形成される。
各第２閉塞部材７２，７３は、例えば、軟質のシリコン樹脂、軟質のシリコンゴム、ニトリルゴム等で形成される。
【００８０】
一方の第２閉塞部材７２は、図１４乃至図２８に示すように、複数（一対）のガイド穴溝７６，７７を有し、他方の第２閉塞板部７３は、複数（一対）のガイド穴溝７８，７９を有する。各第２閉塞部材７２，７３は、断面矩形状（断面長方形状）の板状に形成される。
各第２閉塞部材７２，７３は、閉塞板厚さ方向ＴＢに閉塞板表面７２Ａ，７３Ｂ及び閉塞板裏面７２Ｂ，７３Ｂ（閉塞板裏平面）を有する。
一方の第２閉塞部材７２において、閉塞板表面７２Ａ及び閉塞板裏面７２は、閉塞板厚さ方向ＴＢに板厚さを有して対向（対峙）して配置される。
他方の第２閉塞部材７３において、閉塞板表面７３Ａ及び閉塞板裏面７３Ｂは、閉塞板厚さ方向ＴＢに板厚さ（一方の第２閉塞部材７２と同一の板厚さ）を有して対向（対峙）して配置される。
各第２閉塞部材７２，７３は、閉塞板厚さ方向ＴＢと直交する閉塞板幅方向ＨＢに閉塞板幅Ｈαを有する。閉塞板幅Ｈαは、パーテーション本体１の本体幅Ｈ２より広い幅を有する。
【００８１】
一方の第２閉塞部材７２は、図１４乃至図１７に示すうに、閉塞板厚さ方向ＴＢ及び閉塞板幅ＨＢと直交する閉塞板長さ方向ＬＢの各閉塞板長さ端縁７２ａ，７２ｂの間において、第１及び第２仕切板体５，６の板端縁（各板長さ端縁５ａ，６ａ、一方の円弧板端縁５ｅ，６ｅ、一方の板幅端縁５ｃ，５ｄ、他方の円弧板端縁５ｆ，６ｆ、他方の板長さ端縁５ｂ，６ｂ）、第１及び第２ダクト板体６２，６３の板端縁（一方の各ダクト円弧板端縁６２ｅ，６３ｅ及び一方のダクト板長さ端縁６２ｃ，６３ｃ）に倣った形状に形成される。
一方の第２閉塞部材７２は、閉塞板長さ方向ＬＢにおいて、一方の閉塞板長さ端縁７２ａから他方の閉塞板長さ端縁７２ｂに向けて、第１縦閉塞板部８１、第１円弧閉塞板部８２、第１横閉塞板部８３、第２円弧閉塞板部８４、第２縦閉塞板部８５、第３円弧閉塞板部８６及び第２横閉塞板部８７の順に連続して形成される。
一方の第２閉塞部材７２において、第１縦閉塞板部８１、第１円弧閉塞板部８２、第１横閉塞板部８３、第２円弧閉塞板部８４、第２縦閉塞板部８５、第３円弧閉塞板部８６及び第２横閉塞板部８７は、軟質の合成樹脂、又は軟質の合成ゴム（可撓性の弾性材料）で一体に形成される。
【００８２】
第１縦閉塞板部８１は、第１及び第２仕切板５，６の一方の板長さ端縁５ａ，６ａに倣った形状（直線形状）に形成される。第１円弧閉塞板部８２は、第１及び第２仕切板体５，６の一方の円弧板端縁５ｅ，６ｅに倣った形状（半径ｒの円弧形状）に形成される。第１横閉塞板部８３は、第１及び第２仕切板体５，６の一方の板幅端縁５ｃ，６ｃに倣った形状（直線形状）に形成される。第２円弧閉塞板部８４は、第１及び第２仕切板体５，６の他方の円弧板端縁５ｆ，６ｆに倣った形状（半径ｒの円弧形状）に形成される。第２縦閉塞板部８５は、他方の各円弧板端縁５ｆ，６ｆ及び一方のダクト円弧端縁６２ｅ，６３ｅの間において、第１及び第２仕切板体５，６の他方の板長さ端縁５ｂ，６ｂに倣った形状（直線形状）に形成される。第３円弧閉塞板部８６は、第１及び第２ダクト板体６２，６３の一方のダクト円弧板端縁６２e，６３eに倣った形状（半径r１の円弧形状）に形成される。第２横閉塞板部８７は、第１及び第２ダクト板体６２，６３の一方のダクト板長さ端縁６２ｃ，６３ｃに倣った形状（直線形状）に形成される。
【００８３】
各ガイド穴溝７６，７７（ガイド溝）は、図２１乃至図２４、及び図２６乃至図２８に示すように、一方の第２閉塞部材７２に形成される。各ガイド穴溝７６，７７は、閉塞板幅方向ＨＢにおいて、各ガイド穴溝７６，７７の間に吸込間隔δと同一の溝間隔δを隔てて平行に配置される。各ガイド穴溝７６，７７は、閉塞板厚さ方向に溝深さＤｐを有して、閉塞板裏面７２Ｂに開口される。
各ガイド穴溝７６，７７は、各閉塞板長さ端縁７２ａ，７２ｂの間にわたって延在されて、第１縦閉塞板部８１、第１円弧閉塞板部８２、第１横閉塞板部８３、第２円弧閉塞板部８４、第２縦閉塞板部８５、第３円弧閉塞板部８６及び第２横閉塞板部８７に形成される。各ガイド穴溝７６，７７は、第２開閉部材７２の閉塞板長さ端縁７２ａ，７２ｂに開口する。各ガイド穴溝７６，７７は、閉塞板長さ方向ＬＢにおいて、第１及び第２仕切板５，６の板端縁（一方の板長さ端縁５ａ，６ａ、一方の円弧板端縁５ｅ，６ｅ、一方の板幅端縁５ｃ，６ｃ、他方の円弧板端縁５ｆ，６ｆ、円弧板端縁５ｆ，６ｆ及びダクト円弧端縁６２ｅ，６３ｅの間の他方の板長さ端縁５ｂ，６ｂ、一方のダクト円弧板端縁６２ｅ，６３ｅ及び一方のダクト板長さ端縁６２ｃ，６２ｄ）に倣った形状に形成される。
【００８４】
一方の第２閉塞部材７２は、閉塞板裏面７２Ｂを、第１及び第２仕切板５，６の板端縁、第１及び第２ダクト板体６２，６３のダクト板端縁に向けて配置される。
一方の第２閉塞部材７２において、第１縦閉塞板部８１は、図２１（ａ）に示すように、閉塞板裏面７２Ｂを一方の板長さ端縁５ａ，６ａに向けて配置され、第１円弧閉塞板部８２は、図２１（ｂ）に示すように、開閉板裏面７２Ｂを一方の円弧板端縁５ｅ，６ｅに向けて配置され、第１横閉塞板部８３は、図２３（ａ）に示すように、閉塞板裏面７２Ｂを一方の板幅端縁５ｃ，６ｃに向けて配置される。第２円弧閉塞板部８４は、図２３（ｂ）に示すように、閉塞板裏面７２Ｂを他方の円弧板端縁５ｆ，６ｆに向けて配置され、第２縦閉塞板部８５は、図２４に示すように、他方の板長さ端縁５ｂ，６ｂ（各円弧板縁５ｆ，６ｆ及びダクト円弧板端縁６２ｅ，６３ｅの間の他方の板長さ端縁）に向けて配置され、第３円弧閉塞部８６は、図２６に示すように、閉塞板裏面７２Ｂを一方のダクト円弧板端縁６２ｅ，６３ｆに向けて配置される。第２横閉塞板部８７は、図２８に示すように、閉塞板裏面７２Ｂを一方のダクト板長さ端縁６２ｃ，６３ｃに向けて配置される。
【００８５】
一方の第２閉塞部材７２は、第１仕切板体５の板端縁側、及び第１ダクト板体６２のダクト板端縁側を、閉塞板裏面７２Ｂからガイド穴溝７６（一方のガイド穴溝）に取外し自在として圧入（挿入）し、第２仕切板体２の板端縁側、及び第２ダクト板体６３のダクト板端縁側を、閉塞板裏面７２Ｂからガイド穴溝７７（他方のガイド穴溝）に取外し自在として圧入（挿入）して、第１及び第２仕切板体５，６、第１及び第２ガイド板体６２，６３に取外し自在に取付けられる。
一方の第２閉塞部材７２は、各ガイド溝７６，７７の間の圧入部８８を第１及び第２仕切板体５，６の間（吸込間隔δ）に取外し自在として圧入（挿入）し、圧入部８８を第１ダクト板体６２，６３の間に取外し自在として圧入（挿入）して、第１及び第２仕切板体５，６、第１及び第２ダクト板体６２，６３に取付けられる。圧入部８８は、第１及び第２板裏面５Ｂ，６Ｂに当接（圧接）しつつ、第１及び第２仕切板体５，６の間（第１及び第２板裏面５Ｂ，６Ｂの間）に取外し自在として圧入（挿入）される。圧入部８８は、第１及び第２ダクト板裏面６２Ｂ，６３Ｂに当接（圧接）しつつ、第１及び第２ダクト板体６２，６３（第１及び第２ダクト板裏面６２Ｂ，６３Ｂの間）に取外し自在として圧入（挿入）される。
【００８６】
一方の第２閉塞部材７２において、第１縦閉塞部材８１は、図２１（ａ）に示すように、閉塞板裏面７２Ｂから各ガイド穴溝７６，７７に一方の板長さ端縁５ａ，６ａ側を圧入（挿入）し、及び圧入部８８を一方の板長さ端縁５ａ，６ａ側の間に圧入（挿入）して、第１及び第２仕切板体５，６の板長さ端縁５ａ，６ｂ側に取外し自在に取付けられる。第１円弧閉塞板部８２は、図２１（ｂ）に示すように、閉塞板裏面７２Ｂから各ガイド穴溝７６，７７に一方の円弧板端縁５ｅ，６ｅ側を圧入（圧入）し、及び圧入部８８を一方の円弧板端縁５e，６e側の間に圧入（挿入）して、第１及び第２仕切板体５，６の各円弧板端縁５e，６ｅ側に取外し自在に取付けられる。第１横閉塞板部８３は、図２３（ａ）に示すように、閉塞板裏面７２から各ガイド穴溝７６，７７に一方の板幅端縁５ｃ，５ｄ側を圧入（挿入）し、圧入部８８を一方の板幅端縁５ｃ，６ｃの間に圧入（挿入）して、第１及び第２仕切板体５，６の各板幅端縁５ｃ，６ｃ側に取外し自在に取付けられる。第２円弧閉塞板部８４は、図２３（ｂ）に示すように、閉塞板裏面７２Ｂから各ガイド穴溝７６，７７に他方の円弧板端縁５ｆ，６ｆを圧入（挿入）し、及び圧入部８８を各円弧板端縁５ｆ，６ｆ側の間に圧入（挿入）して、第１及び第２仕切板体５，６の各円弧板端縁５ｆ，６ｆ側に取外し自在として取付られる。第２縦閉塞板部８５は、図２４に示すように、閉塞板裏面７２Ｂから他方の板長さ端縁５ｂ，６ｂ側を圧入（挿入）し、及び圧入部８８を他方の板長さ端縁５ｂ，６ｂ側の間に圧入（挿入）して、第１及び第２仕切板体５，６の他方の板長さ端縁５ｂ，６ｂ側に取外し自在として取付られる。
第３円弧閉塞板部８６は、図２６に示すように、閉塞板裏面７２Ｂから各ガイド穴溝７６，７７に一方のダクト円弧板端縁６２ｅ，６３ｅを圧入（挿入）し、及び圧入部８８を一方のダクト円弧板端縁６２ｅ，６３ｅ側の間に圧入（挿入）して、第１及び第２ダクト板体６２，６３の一方の円弧板端縁６２ｅ，６３ｅ側に取外し自在に取付けられる。第２横閉塞板部８７は、図２８に示すように、閉塞板裏面７２Ｂ側から各ガイド穴溝７６，７７に一方のダクト板長さ端縁６２ｃ，６３ｃ側を圧入（挿入）し、及び圧入部８８を一方のダクト長さ端縁６２ｃ，６３ｃ側の間に圧入（挿入）して、第１及び第２ダクト板体６２，６３の一方のダクト板長さ端縁６２ｃ，６３ｃ側に取外し自在に取付けられる。
これにより、一方の第２閉塞部材７２は、第１縦閉塞板部８１、第１円弧閉塞板部８２、第１横閉塞板部８３、第２円弧閉塞板部８４、第２縦閉塞板部８５，第３円弧閉塞板部８６及び第２横閉塞板部８７によって、第１及び第２仕切板体５，６の板端縁の一部（他方の板幅端縁５ｄ，６ｄ）を除く残りの板端縁を気密に閉塞して、第１及び第２仕切板体に取外し自在に取付けられ、及び第１及び第２ダクト板体６２，６３に取外し自在に取付けられる。
【００８７】
他方の第２閉塞部材７３は、図１４乃至図１６、図１８、図２０、図２５、図２９、図３０及び図３２に示すように、閉塞板長さ方向ＬＢの各閉塞板長さ端縁７３ａ，７３ｂの間において、第１及び第２仕切板体５，６の板端縁（他方の板幅端縁５ｄ，６ｄ及び他方のダクト円弧板端縁６２ｆ，６３ｆの間の他方の板長さ端縁５ｂ，６ｂ、他方のダクト円弧板端縁６２ｆ，６３ｆ及び他方のダクト板長さ端縁６２ｄ，６３ｄ）に倣った形状に形成される。
他方の第２閉塞部材７３は、閉塞板長さ方向ＬＢにおいて、一方の閉塞板長さ端縁７３ａから他方の閉塞板長さ端縁７３ｂに向けて、第３縦閉塞板部９０、第４円弧閉塞板部９１及び第３横閉塞板部９２の順に連続して形成される。
他方の第２閉塞部材８２において、第３縦閉塞板部９０、第４円弧閉塞板部９１及び第３横閉塞板部９２は、軟質の合成樹脂、又は軟質の合成ゴム（可撓性の弾性材料）で一体に形成される。
【００８８】
第３縦閉塞板部９０は、第１及び第２仕切板体５，６の他方の板長さ端縁５ｂ，６ｂ（各板幅端縁５ｄ，６ｄ及び各ダクト円弧板端縁６２ｆ，６３ｆの間の各板長さ端縁）に倣った形状（ち直線形状）に形成される。第４円弧閉塞板部９１は、第１及び第２ダクト板体６２，６３の他方のダクト円弧板端縁６２ｆ，６３ｆに倣った形状（半径ｒ１の円弧形状）に形成される。第３横閉塞板部９２は、第１及び第２ダクト板体６２，６３の他方のダクト板長さ端縁６２ｄ，６３ｄに倣った形状（直線形状）に形成される。
【００８９】
各ガイド穴溝７８，７９（ガイド溝）は、図２９及び図３０に示すように、他方の第２閉塞部材７３に形成される。各ガイド穴溝７８，７９は、閉塞板幅方向ＨＢにおいて、各ガイド穴溝７８，７９の間に溝間隔δ（吸込間隔δと同一間隔）を隔てて平行に配置される。各ガイド穴溝７８，７９は、閉塞板厚さ方向ＴＢに溝深さＤｐを有して、閉塞板裏面７３Ｂに開口される。
各ガイド穴溝７８，７９は、各閉塞板長さ端縁７３ａ，７３ｂの間にわたって延在されて、第３縦閉塞板部９０、第４円弧閉塞板部９１及び第３横閉塞板部９２に形成される。各ガイド穴溝７８，７９は、第２閉塞部材７３の閉塞板長さ端縁７３ａ，７３ｂに開口する。各ガイド穴溝７８，７９は、閉塞板長さ方向ＬＢにおいて、第１及び第２仕切板体５，６の板端縁（一方の板長さ端縁５ｂ，６ｂ、他方のダクト円弧板端縁６２ｆ，６３ｆ及び他方のダクト板長さ端縁６２ｄ，６３ｄ）に倣った形状に形成される。
【００９０】
他方の第２閉塞部材７３は、閉塞板裏面７３Ｂを、第１及び第２仕切板体５，６の板端縁、第１及び第２ダクト板体６２，６３のダクト板端縁に向けて配置される・
他方の第２閉塞部材７３において、第３縦閉塞板部９０は、図２９（ａ）に示すように、閉塞板裏面７３Ｂを他方の板長さ端縁５ｂ，６ｂ（他方の板幅端縁５ｄ，６ｄ及び他方のダクト円弧板端縁６２ｆ，６３ｆの間の板長さ端縁）に向けて配置され、第４円弧開閉板部９１は、図２９（ｂ）に示すように、閉塞板裏面７３Ｂを第１及び第２ダクト板体６２，６２の他方のダクト円弧板端縁６２ｆ，６３ｆに向けて配置される。第３横閉塞板部９２は、図３０に示すように、閉塞板裏面７３Ｂを第１及び第２ダクト板体６２，６３の他方のダクト板長さ端縁６２ｄ，６３ｄに向けて配置される。
【００９１】
他方の第２閉塞部材７３は、第１仕切板体５の板端縁側、及び第１ダクト板体６２のダクト板端縁側を、閉塞板裏面７３Ｂからガイド穴溝７８（一方のガイド穴溝）に取外し自在として圧入（挿入）し、及び第２仕切板体６の板端縁側、及び第２ダクト板体６３のダクト板端縁を、閉塞板裏面７３Ｂからガイド穴溝７９（他方のガイド穴溝）に取外し自在として圧入（挿入）して、第１及び第２仕切板体５，６、第１及び第２ダクト板体６２，３に取外し自在に取付けられる。
他方の第２閉塞部材７３は、各ガイド穴溝７８，７９の間の圧入部９３を第１及び第２仕切板体５，６の間（吸込間隔δ）に取付け自在として圧入（挿入）し、第１及び第２ダクト板体６２，６３の間に取外し自在として圧入（挿入）して、第１及び第２仕切板体５，６、第１及び第２ダクト板体６２，６３に取付けられる。圧入部９３は、第１及び第２板裏面５Ｂ，６Ｂに当接（圧接）しつつ、第１及び第２仕切板体５，６の間（第１及び第２板裏面５Ｂ，６Ｂの間）に取外し自在として圧入（挿入）される。圧入部９３は、第１及び第２ダクト板裏面６２Ｂ，６３Ｂに当接（圧接）しつつ、第１及び第２ダクト板体６２，６３の間（第１及び第２ダクト板裏面６２Ｂ，６３Ｂの間）に取外し自在として圧入（挿入）される。
【００９２】
他方の第２閉塞部材７３において、第３縦閉塞板部９０は、図２９（ａ）に示すように、閉塞板裏面７３Ｂから各ガイド穴溝７８，７９に他方の板長さ端縁５ｂ，６ｂ側を圧入（挿入）し、及び圧入部９３を他方の板長さ端縁５ｂ，６ｂ側の間に圧入（挿入）して、第１及び第２仕切板体５，６の各板長さ端縁５ｂ，６ｂ側に取外し自在に取付けられる。第４円弧閉塞板部９１は、図２９（ｂ）に示すように、閉塞板裏面７３Ｂから各ガイド穴溝７８，７９に他方のダクト円弧板端縁６２ｆ，６３ｆを圧入（挿入）し、及び圧入部９３を他方のダクト円弧板端縁６２ｆ，６３ｆ側の間に圧入（挿入）して、第１及び第２ダクト板体６２，６３の各ダクト円弧板端縁６２ｆ，６３ｆ側に取外し自在に取付けられる。第３横閉塞板部９２は、図３０に示すように、閉塞板裏面７３Ｂから各ガイド穴溝７８，７９に第１及び第２ダクト板体６２，６３の他方のダクト板長さ端縁６２ｄ，６３ｄ側を圧入（挿入）し、及び圧入部９３を他方のダクト板長さ端縁６２ｄ，６３ｄ側の間に圧入（挿入）して、第１及び第２ダクト板体６２，６３の各ダクト板長さ端縁６２ｄ，６３ｄ側に取外し自在に取付けられる。
これにより、一方の第２閉塞部材７３は、第３縦閉塞板部９０、第４円弧閉塞板部９１、及び第３横閉塞板部９２によって、第１及び第２仕切板体５，６の板端縁の一部（他方の板幅端縁５ｄ，６ｄ）を除く残りの板端縁を気密に閉塞して、第１及び第２仕切板体に取外し自在に取付けられ、及び第１及び第２ダクト板体６２，６３に取外し自在に取付けられる。
【００９３】
パーテーション装置Ｘ２において、各第１吸込穴９,１０は、図２、図３、図７及び図８で説明したと同様に、第１仕切板体５に形成される（図１４、図１５、図２３、図３３及び図３６参照）。
【００９４】
パーテーション装置Ｘ２において、各第２吸込穴１１,１２は、図１、図７、図８及び図１０で説明したと同様に、第２仕切板体６に形成される（図１６、図２３、図３２、図３４及び図３６参照）。
【００９５】
パーテーション装置Ｘ２において、吸引ダクト管６１は、一方のダクト管端６１Ａから吸引口６８（吸込空間β）に接続されて、第１及び第２ダクト板体６２，６３（他方のダクト板幅端縁６２ｂ，６３ｂ）に連結される。
【００９６】
吸引ダクト管６１は、図１４、図１６、図３１及び図３２に示すように、吸引口６８と略同一の断面矩形（断面長方形）の管状（筒状）に形成される。吸引ダクト管６１は、継手リング１０４によって吸引口８６（第１及び第２ダクト板体６２，６２の他方のダクト板長さ端６２ｂ，６３ｂ側）に連結される。継手リング６４は、軟質の合成樹脂、又は軟質の合成ゴム（可撓性の弾性材料）で筒状に形成される。継手リング６４は、弾性変形されて、吸引口６８から第１及び第２ダクト板体６２，６３の他方のダクト板長さ端縁６２ｂ，６３ｂ側、及び各第１閉塞部材７２，７３の他方の７２ｂ，７３ｂ側に気密に外嵌され、及び一方のダクト管端６１Ａから一方のダクト管端６１Ａ側に外嵌される。
これにより、継手リング６４は、弾性変形よって、第１及び第２ダクト板体６２，６３の他方のダクト板長さ端縁６２ｂ，６３ｂ側、各第２閉塞部材７２，７３の他方の閉塞板長さ端縁７２ｂ，７３ｂ側、及び一方のダクト管端６１Ａ側に密着（圧接）されて、一方のダクト管端２Ａを吸引口６８に気密に接続する。吸引ダクト管６１は、図２５、図２７及び図３２に示すように、一方のダクト管端６１Ａから吸引口６８、及び流出空間Ｍ（流出路）を通して吸込空間β（第１及び第２仕切板体５，６の間の吸込空間β）に連通される。
【００９７】
図３９及び図４０において、パーテーション装置Ｘ２は、複数の人の間に第１及び第２仕切板体５，６を配置して、人の口や鼻からの飛沫を遮断しつつ吸込む。
【００９８】
パーテーション装置Ｘ２は、図１１乃至図１３で説明したと同様に、複数の台座３５〜３７を備えて、例えば、複数の人が対面するテーブル３８に設置される。
パーテーション装置Ｘ２において、各台座３５〜３７は、テーブル板３９のテーブル板表面３９Ａ（設置面）に載置される。各台座３５，３６，３７は、テーブル板３９のテーブル幅方向ＬＨの中央に配置される。各台座３５〜３７は、テーブル板３９のテーブル板長さ方向ＬＴにおいて、各台座３５〜３７の間に台座間隔ｐを隔てて並設される。
【００９９】
パーテーション装置Ｘ２は、図３９及び図４０に示すように、パーテーション本体６０を各台座３５〜３７に載置して、テーブル３８［テーブル板３９のテーブル板表面３９Ａ（設置面）］に設置される。
パーテーション本体６０は、第１及び第２仕切板体５，６の板長さ方向Ｌをテーブル板長さ方向ＬＴに向け、第１及び第２仕切板体５，６の板幅方向Ｈを上下方向ＵＤに向けて配置される。
パーテーション装置Ｘ２は、図３９及び図４０に示すように、パーテーション本体６０の第１閉塞部材７１（底板２２）を各台座３５〜３７に当接しつつ第１及び第２仕切板体５，６（パーテーション本体６０）を各台座３５〜３７に立設する。
パーテーション装置Ｘ２において、パーテーション本体６０は、第１閉塞部材７１（底板２２）を各台座３５〜３７に取付けて、パーテーション本体６０を各台座３５〜３７に固定して配置される。
これにより、パーテーション本体６０は、複数の人の間（テーブル板３９のテーブル板幅方向ＬＨの中央）に第１及び第２仕切板体５，６を各台座３５〜３７に立設して配置される。
パーテーション本体６０は、各台座３５〜３７の間（台座間隔λ）において、各台座１１１，１１２、第１閉塞部材７１（底板２２）及びテーブル板表面３９Ａ（設置面）とで受渡し空間４０（受渡し路）を形成（区画）する。
【０１００】
パーテーション装置Ｘ２において、吸引ダクト管６１は、図３９及び図４０に示すように、他方のダクト管端６１Ｂから空気清浄機４５（吸引機）に接続される。吸引ダクト管６１は、他方のダクト管端６１Ｂ側を空気清浄機４５（吸引機）の吸引管４６に気密に外嵌して、他方のダクト管体６１Ｂを空気清浄機４５（吸引管４６）に接続する。
これにより、パーテーション装置Ｘ２において、パーテーション本体６０（吸込空間β）は、流出空間Ｍ、吸引ダクト管６１及び吸引管４６を通して空気清浄機４５（吸引機）に接続される。
【０１０１】
複数の人は、テーブル３８（テーブル板３９）のテーブル幅方向ＬＨにおいて、各人の間にパーテーション本体６０（第１及び第２仕切板体５，６）を配置して、テーブル板３９のテーブ板幅端３９Ｂ，３９Ｃ側に着座等する。複数の人は、図４０に示すように、パーテーション本体６０の第１仕切板体５又は第２仕切板体６に対面して位置される。
これにより、複数の人は、第１及び第２仕切板体５，６（パーテーション本体６０）を間に位置して、人の顔を対面する。各第１吸込穴９，１０、及び各第２吸込穴１１，１２は、各人の顔に対面して配置される。
【０１０２】
空気清浄機４５（吸引機）を駆動して、吸引ダクト管６１、流出空間Ｍ及びパーテーション本体６０内（吸込空間β）の空気を吸引する。
パーテーション装置Ｘ２において、パーテーション本体６０は、図１４乃至図１６、図３２及び図４０に示すように、空気清浄機４５（吸引機）の吸引によって、各人と第１及び第２仕切板体５，６の間の空間の空気（飛沫等を含む空気）を各第１吸込穴９，１０及び各第２吸込穴１１，１２から吸込んで、流出空間Ｍを通して吸引ダクト管６１から空気清浄機４５に流出する。
これにより、パーテーション装置Ｘ２は、図４０に示すように、各人の口や鼻からの飛沫（飛沫等を含む空気）を第１及び第２仕切板体５，６で遮断しつつ、人の口や鼻からの飛沫（飛沫等を含む空気）を各第１吸込穴９，１０及び各第２吸込穴１１，１２から吸込空間β吸込むことで、飛沫が対面する人に飛散することを防止する。複数の人の口や鼻からの飛沫は、各第１吸込穴９，１０及び各第２吸込穴１１，１２から吸込空間βに吸込まれ、流出空間Ｍ及び吸引ダクト管６１を通して空気清浄機４５に流出される。空気清浄機４５は、吸引ダクト管６１を通して流入される空気（飛沫等を含む空気）を清浄して、清浄空気を空気清浄機４５の外部に排出する。
パーテーション装置Ｘ２では、各人の（各人の顔）を第１及び第２仕切板体５，６（パーテーション本体６０）に対面した状態で、書類、筆記用具等を含む物品を受渡し空間１１５を通して、対面する人に渡すことができる。
【０１０３】
パーテーション装置Ｘ２では、各第２閉塞部材７２，７３を第１及び第２仕切板体５，６から取外すことで、図３３乃至図３７に示すように、第１及び第２仕切板体５，６の板端縁の一部（他方の板幅端縁５ｄ，６ｄ）を除く残りの板端縁の間（一方の板長さ端縁５ａ，６ａの間、他方の板長さ端縁５ｂ，６ｂの間、一方の円弧板端縁５ｅ，６ｅの間、他方の円弧板端縁５ｆ，６ｆの間、及び一方の板幅端縁５ｃ，６ｃの間）を開口でき、吸込空間βを外気（パーテーション本体６０の外部）に開放できる。各第２閉塞部材７２，７３は、軟質の合成樹脂又は軟質の合成ゴムで形成されているので、例えば、一方の閉塞板長さ端縁７２ａ，７３ａ（又は他方の閉塞板長さ端縁７２ｂ，７３ｂ側）を持って引っ張ることで、第１及び第２仕切板体５，６の板端縁の一部を除く残りの板端縁から容易に取外すことができ、第１ダクト板体６２，６３のダクト板端縁（各ダクト板長さ端縁６２ｃ，６３ｃ，６２ｄ，６３ｄ、及び各ダクト円弧板端縁６２ｅ，６３ｅ，６２ｆ，６３ｆ）から容易に取外すことができる。
各第２閉塞部材７２，７３は、引っ張りによって、弾性変形しつつ、各ガイド穴溝７７〜７９から第１及び第２仕切板体の板縁端側、第１及び第２ダクト板体６２，６３のダクト板端縁側を抜出し、及び各圧入部８８，９３を第１及び第２仕切板５，６の板端縁側の間、第１及び第２ダクト板体６２，６３の間から抜出して、パーテーション本体６０から取外される。第１及び第２仕切板体５，６に各円弧板端縁５e，６e，５ｆ，６ｆを形成し、第１及び第２ダクト板体６２，６３に各ダクト円弧板端縁６２e，６３e，６２f，６３fを形成することで、各第２閉塞部材７２，７３は、各円弧板端縁５e，６e，５ｆ，６ｆ及び各ダクト円弧板端縁６２e，６３e，６２f，６３fに沿って、円滑に第１及び仕切板体５，６（パーテーション本体６０）第１及び第２ダクト板体６２，６３から取外すことができる。
これにより、第１及び第２仕切板体５，６において、外気に開放された板端縁の間から水や洗剤水等を第１及び第２仕切板体５，６の間に流入して、第１及び第２仕切板体５，６の第１及び第２板裏面５Ｂ，６Ｂを洗浄等でき、第１及び第２板裏面５Ｂ，６Ｂに付着した飛沫等の汚れを除去することが可能となる。第１及び第２ダクト板体６２，６３において、外気に開放されたダクト板端縁の間から水や洗剤水等を第１及び第２仕切板体５，６の間に流入して、第１及び第２ダクト板体６２，６３の第１及び第２ダクト板裏面６２Ｂ，６３Ｂを洗浄等でき、第１及び第２ダクト板裏面６２Ｂ，６３Ｂに付着した飛沫等の汚れを除去することが可能となる。
【０１０４】
パーテーション装置Ｘ２では、各第２閉塞部材７２，７３の各ガイド穴溝７７〜７９に第１及び第２仕切板体５，６の板端縁の一部を除く残りの板端縁を圧入し、第１及び第２ダクト板体６２，６３のダクト板端縁を圧入すると共に、各圧入部８８，９２を第１及び第２仕切板５，６の間、第１及び第２ダクト板体６２，６２の間に圧入することで、第１及び第２仕切板体５，６、第１及び第２ダクト板体６２，６３に容易に取付けることができる。
【０１０５】
本考案に係るパーテーション装置Ｘ１，Ｘ２では、図４１及び図４２に示すように、第１及び仕切板体５，６の間（吸込間隔δ）に固定部材９８，９９を配置（挿入）する構成も採用できる。
図４１及び図４２において、複数の固定材９８，９９は、第１及び第２仕切板体５，６の間（吸込空間β）に配置されて、パーテーション本体１（第１及び第２仕切板体５，６）に固定される。各固定材９８，９９は、矩形状（長方形状）の一対の縦平板１０１，１０２（第１縦平板１０２、及び第２縦平板１０３）及び矩形状の横平板１０３を有し、各縦平板１０１，１０２及び横平板１０３とで断面コ字状に形成される。
横平板１０３は、各縦平板１０１，１０２に直交して各縦平板１０１，１０２の間に配置されて、各縦平板１０１，１０２と一体に形成される。
各固定材９８，９９は、図４１及び図４２に示すように、パーテーション本体１の吸込空間βに配置される。各固定材９０，９９は、板長さ方向Ｌにおいて、第１仕切板体５の各板長さ端縁５ａ，５ｂの間（第２仕切板体６の各板長さ端縁６ａ，６ｂ）の間に配置される。各固定材９８，９９は、板幅方向Ｈにおいて、各第１吸込穴９，１０（各第２吸込穴１１，１２）及び他方の板幅端縁５ｄ（他方の板幅端縁６ｄ）の間に配置される。
固定材９８（第１固定材）は、図４２に示すように、第１及び第２仕切板体５，６の一方の板長さ端縁５ａ，６ａ側に配置される。固定材９８は、第１吸込穴９及び第２吸込穴１１に隣接して、板長さ方向Ｌにおいて、第１吸込穴９及び第２吸込穴１１に平行に配置される。固定材９８は、吸込空間β（吸込間隔δ）から縦平板１０１を第１仕切板体５（第１板裏面５Ｂ）に当接し、及び縦平板１０２を第２仕切板体６（第２板裏面６Ｂ）に当接して配置される。固定材９８は、縦平板１０１を第１仕切板体５に取付け、縦平板１０２を第２仕切板体６に取付けて、パーテーション本体１（第１及び第２仕切板体５，６）に固定される。
固定材９９は、図４２に示すように、第１及び第２仕切板体５，６の他方の板長さ端縁５ｂ，６ｂ側に配置される。固定材９９は、板長さ方向Ｌにおいて、固定材９８に間隔を隔てて並設される。固定材９９は、第１吸込穴１０及び第２吸込穴１２に隣接して、板長さ方向Ｌにおいて、第１吸込穴１０及び第２吸込穴１２に平行に配置される。固定材９９は、吸込空間β（吸込間隔δ）から縦平板１０１を第１仕切板体５（第１板裏面５Ｂ）に当接し、及び縦平板１０２を第２仕切板体６（第２板裏面６Ｂ）に当接して配置される。固定材９９は、縦平板１０１を第１仕切板体５に取付け、縦平板１０２を第２仕切板体６に取付けて、パーテーション本体１（第１及び第２仕切板体５，６）に固定される。
これにより、各固定材９８，９９は、吸込空間βにおいて、第１及び第２仕切板体５，６を支持する。
【０１０６】
本考案に係るパーテーション装置Ｘ１，Ｘ２では、第１及び第２仕切板体５，６の形状は、矩形状の平板（長方形状の平板）に限定されず、円形状の平板、楕円形状の平板、又は三角形状の平板や正方形状の平板を含む多角形状の平板であっても良い。
【０１０７】
本考案に係るパーテーション装置Ｘ１，Ｘ２では、第１仕切板体５に形成する第１吸込穴９，１０、及び第２仕切板体６に形成する第２吸込穴１１，１２は、２つに限定されず、１又は３以上（複数）の第１吸込穴を第１仕切板体５に形成し、１又は３以上（複数）の第２吸込穴を第２仕切板体６に形成しても良い。
本考案に係るパーテーション装置Ｘ１，Ｘ２では、各第１吸込穴９，１０及び各第２吸込穴１１，１２を対向（対峙）して第１及び第２仕切板体５，６に形成しているが、第１及び第２吸込穴の位置をずらして、第１及び第２仕切板体５，６に形成しても良い。
【産業上の利用可能性】
【０１０８】
本考案は、人の口や鼻からの飛沫を遮断するのに最適である。
【符号の説明】
【０１０９】
Ｘ１  パーテーション装置
１  パーテーション本体
２  吸引ダクト管
５  第１仕切板体
６  第２仕切板体
７  閉塞体
８  吸引穴
９，１０  第１吸込穴
１１，１２  第２吸込穴
４５  吸引機（空気清浄機）
【図１】
0003235284.tif 000003
【図２】
0003235284.tif 000004
【図３】
0003235284.tif 000005
【図４】
0003235284.tif 000006
【図５】
0003235284.tif 000007
【図６】
0003235284.tif 000008
【図７】
0003235284.tif 000009
【図８】
0003235284.tif 000010
【図９】
0003235284.tif 000011
【図１０】
0003235284.tif 000012
【図１１】
0003235284.tif 000013
【図１２】
0003235284.tif 000014
【図１３】
0003235284.tif 000015
【図１４】
0003235284.tif 000016
【図１５】
0003235284.tif 000017
【図１６】
0003235284.tif 000018
【図１７】
0003235284.tif 000019
【図１８】
0003235284.tif 000020
【図１９】
0003235284.tif 000021
【図２０】
0003235284.tif 000022
【図２１】
0003235284.tif 000023
【図２２】
0003235284.tif 000024
【図２３】
0003235284.tif 000025
【図２４】
0003235284.tif 000026
【図２５】
0003235284.tif 000027
【図２６】
0003235284.tif 000028
【図２７】
0003235284.tif 000029
【図２８】
0003235284.tif 000030
【図２９】
0003235284.tif 000031
【図３０】
0003235284.tif 000032
【図３１】
0003235284.tif 000033
【図３２】
0003235284.tif 000034
【図３３】
0003235284.tif 000035
【図３４】
0003235284.tif 000036
【図３５】
0003235284.tif 000037
【図３６】
0003235284.tif 000038
【図３７】
0003235284.tif 000039
【図３８】
0003235284.tif 000040
【図３９】
0003235284.tif 000041
【図４０】
0003235284.tif 000042
【図４１】
0003235284.tif 000043
【図４２】
0003235284.tif 000044